(57)【要約】      （修正有）【課題】画鋲の視覚的、美的機能を補うために画鋲の飾り具を提供すると共に、画鋲の美的な機能を高め、しかも楽しく使用するための飾り鍔をつけた画鋲を提供する。【解決手段】画鋲の飾り具は、中心部に針穴１を設けた押え部２の外周に様々な模様を施した飾り部３を設けたことを特徴とする。又、飾り鍔をつけた画鋲は、画鋲の頂部を球形状に形成したつまみ部の底面部にあたる押し当て部の周縁部に様々な形や模様を施した飾り鍔を前記押し当て部と一体に設けたことを特徴とする。【選択図】図１
0003205073.tif 000002
【実用新案登録請求の範囲】
【請求項１】
中心部に針穴（１）を設けた押え部（２）の外周に様々な模様を施した飾り部（３）を設けたことを特徴とする画鋲の飾り具。
【請求項２】
画鋲の頂部を球形状に形成したつまみ部（４）の底面部にあたる押し当て部（５）の周縁部に様々な形や模様を施した飾り鍔（６）を前記押し当て部（５）と一体に設けたことを特徴とする飾り鍔をつけた画鋲。
【請求項３】
飾り鍔の中心部のピン穴が図１２で示すようにＶ字型であることを特徴とする請求項２記載の飾り鍔をつけた画鋲。
【考案の詳細な説明】
【技術分野】
【０００１】  本考案は、画鋲を美的に楽しく飾り付けるため画鋲の美的な機能を高め、中心部に針穴を設けた押え部の外周に様々な模様を施した画鋲の飾り具と飾り鍔をつけた画鋲に関するものである。
【背景技術】
【０００２】  従来、いろいろな画鋲が市販されていて、近年、画鋲の頭部にいろいろと工夫されたものが多くみられるようになった。
たとえば、メモなどを傷つけずに壁などに張り付けることができ、メモの取り外しも簡単な画鋲と、飾り具と画鋲が一体の画鋲が提案されている。（特許文献１参照）
【先行技術文献】
【０００３】
【特許文献】
【特許文献】実開平７−４４３１８号公報
【考案の概要】
【考案が解決しようとする課題】
【０００４】  これは、次のような欠点があった。
しかしながら、どの画鋲にも押し当て部の形状は円形状のものが多く、使用時における視覚的美的感覚に乏しい欠点があった。
本考案は以上のような欠点を解決するためになされたものである。
【課題を解決するための手段】
【０００５】  中心部に針穴（１）を設けた押え部（２）の外周に様々な模様を施した飾り具（３）を設けたものと、頂部を球形状に形成したプラスチック製画鋲のつまみ部（４）の底面部にあたる押し当て部（５）の周縁部に様々な形状や模様を施した飾り鍔（６）を前記押し当て部（５）と一体化した。
本考案は以上のような構成からなる画鋲の飾り具と一体化した飾り鍔をつけた画鋲である。
【考案の効果】
【０００６】  本考案を画鋲に装着して使用すればあたかも画鋲に花が咲くかのごとくに画鋲に美的雰囲気が得られ、画鋲を使用する楽しさが味わえる。
また、本考案を使用すると、対象物を押える範囲が大きくなり、押さえ効果が高まる。とくに、丸い頭部を有する画鋲に使用すれば、その効果は顕著である。
さらには、二重画鋲に装着して使用した場合、画鋲を抜き取る際に画鋲飾りの端部を指先で持ち上げるようにして容易に画鋲を抜き取る事ができる。
本考案の画鋲を使用すると、従来の単調な画鋲と比較して視覚上美的な雰囲気が醸成され、画鋲を使用する楽しさを味わうことができる。
また、画鋲に飾り鍔をつけたことにより対象物を押える範囲が拡がり押さえの効果が大きくなる。
さらには、飾り鍔の外縁を多角形に形成することで、画鋲を平面上においても転がりにくく、つまみ部の頂部が球形状になっているため、画鋲の針先が上方を向くことがないので安全性が保持できる。
【図面の簡単な説明】
【０００７】
【図１】  本考案の平面図である。
【図２】  本考案の実施例の断面図である。
【図３】  本考案の模様や形を変えた実施例を示した平面図である。
【図４】  本考案の模様や形を変えた実施例を示した平面図である。
【図５】  本考案の模様や形を変えた実施例を示した平面図である。
【図６】  本考案の模様や形を変えた実施例を示した平面図である。
【図７】  本考案の模様や形を変えた実施例を示した平面図である。
【図８】  本考案の一体型の斜視図である。
【図９】  本考案の一体型平面図である。
【図１０】  本考案の模様や形を変えた実施例３ケを示した平面図である。
【図１１】  本考案の模様や形を変えた実施例３ケを示した平面図である。
【考案を実施するための形態】
【０００８】  以下本考案を実施するための形態について説明する。
中心部に針穴（１）を設けた押え部（２）の外周に様々な模様を施した飾り部（３）を設けたものである。
本考案は以上のような構造である。
本考案を実施するときは、画鋲の針先を画鋲の飾り具の針穴（１）に画鋲の針の元まで差し込んで装着したあと、掲示する対象物を壁面や木柱、コルク板等へ画鋲の頭部を画鋲飾りの押え部（２）の上から強く押さえつけることにより、飾り部（３）も同時に対象物に密着して美的に固定することができる画鋲と飾り具と画鋲の頂部を球形状に形成したプラスチック画鋲のつまみ部（４）の底面部にあたる押し当て部（５）の周縁部に様々な形状や模様を施した飾り鍔（６）を前記押し当て部（５）と一体化した飾り鍔をつけた画鋲である。
本考案は以上のような構造である。
本考案を使用するときは、つまみ部を指先でつまんで持ちながら画鋲の針の先端で対象物を突き刺しながら壁面や柱、ボード等へ、飾り鍔の底面部と押え部の底面部を対象物に密着させるように強く押し込んで固定する。
【符号の説明】
【０００９】１  針穴
２  押え部
３  飾り部
４  つまみ部
５  押し当て部（１）
６  飾り鍔（２）
７  針
【図１】
0003205073.tif 000003
【図２】
0003205073.tif 000004
【図３】
0003205073.tif 000005
【図４】
0003205073.tif 000006
【図５】
0003205073.tif 000007
【図６】
0003205073.tif 000008
【図７】
0003205073.tif 000009
【図８】
0003205073.tif 000010
【図９】
0003205073.tif 000011
【図１０】
0003205073.tif 000012
【図１１】
0003205073.tif 000013
【図１２】
0003205073.tif 000014
【手続補正書】
【提出日】平成28年3月31日(2016.3.31)
【手続補正１】
【補正対象書類名】実用新案登録請求の範囲
【補正対象項目名】全文
【補正方法】変更
【補正の内容】
【実用新案登録請求の範囲】
【請求項１】
中心部に針穴（１）を設けた押え部（２）の外周に様々な模様を施した飾り部（３）を設けたことを特徴とする画鋲の飾り具。
【請求項２】
画鋲の頂部を球形状に形成したつまみ部（４）の底面部にあたる押し当て部（５）の周縁部に様々な形や模様を施した飾り鍔（６）を前記押し当て部（５）と一体に設けたことを特徴とする飾り鍔をつけた画鋲。
【請求項３】
飾り鍔の中心部のピン穴は、当該ピン穴がＶ字型であることを特徴とする請求項２記載の飾り鍔をつけた画鋲。
【手続補正２】
【補正対象書類名】明細書
【補正対象項目名】０００７
【補正方法】変更
【補正の内容】
【０００７】
【図１】本考案の平面図である。
【図２】本考案の実施例の断面図である。
【図３】本考案の模様や型を変えた実施例を示した平面図である。
【図４】本考案の模様や型を変えた実施例を示した平面図である。
【図５】本考案の模様や型を変えた実施例を示した平面図である。
【図６】本考案の模様や型を変えた実施例を示した平面図である。
【図７】本考案の模様や型を変えた実施例を示した平面図である。
【図８】本考案の一体型の斜視図である。
【図９】本考案の一体型平面図。
【図１０．】本考案の模様や型を変えた実施例３ケを示した平面図である。
【図１１．】本考案の模様や型を変えた実施例３ケを示した平面図である。
【図１２．】本考案のピン穴の拡大断面図である。